(57)【要約】【課題】一本のビスで構築物に固定してもビスを回動中心とした回動を規制することができる配線器具取付具を提供する。【解決手段】配線ボックス１１は建物の柱にビスで取付固定される。配線ボックス１１は、四角箱状をなすボックス本体１０を有し、ボックス本体１０は左側壁１３ｃに前記柱への取付面１４ａを備えている。そして、取付面１４ａを備える左側壁１３ｃにはビスが貫通可能な第１〜第５貫通孔２１〜２５が形成されているとともに貼着テープ３０が設けられている。【選択図】      図１
2006211849.tif 000002
【特許請求の範囲】
【請求項１】
配線器具を取り付けるために建物の構築物にビスで取付固定される配線器具取付具であって、
箱状又は枠状をなす取付具本体を有し、該取付具本体は複数の側壁のうちの少なくとも一側壁に前記構築物への取付面を備え、該取付面を備える側壁には前記ビスが貫通可能な貫通孔が形成されているとともに取付具本体を構築物に貼着するための貼着テープが設けられていることを特徴とする配線器具取付具。  
【請求項２】
前記貼着テープは前記貫通孔を閉鎖して設けられ、貫通孔を貫通したビスの周囲に粘着テープが位置する請求項１に記載の配線器具取付具。
【請求項３】
前記貫通孔は、前記取付具本体の深さ方向に沿って延びる長孔状に形成され、該貫通孔はその始端が取付具本体の開口側に位置し終端が前記深さ方向における中央位置に位置している請求項１又は請求項２に記載の配線器具取付具。
【請求項４】
前記構築物は、金属製の柱である請求項１〜請求項３のうちいずれか一項に記載の配線器具取付具。
【発明の詳細な説明】
【技術分野】
【０００１】
本発明は、配線器具を取り付けるために建物の構築物にビスで固定される配線器具取付具に関する。
【背景技術】
【０００２】
一般に、建物内の壁に配線器具を設置するために壁裏側の木製の柱（構築物）には配線ボックスが取付固定されている。この配線ボックスは、前面に開口を有する有底四角箱状をなし、その一側壁には配線ボックスを柱に取り付けるための取付部が形成されているとともに、該取付部及び側壁を貫通してビス孔が複数箇所に形成されている。そして、この配線ボックスは、前記取付部の外面を柱の側面に当接させ、前記ビス孔から柱にビスを螺入することによって該柱に取付固定されるようになっている。
【０００３】
ところで、上記構成の配線ボックスは、一本のビスを柱に螺入して該柱に取付固定した場合、例えば配線ボックスをその前面側から後側へ押圧する力が作用したとき、該配線ボックスは前記ビスを回動中心として回動してしまう虞がある。したがって、配線ボックスをその回動を規制した状態で柱に取付固定するためには、少なくとも二本のビスを柱に螺入しなけらばならず、ビスの螺入作業、ひいては配線ボックスを柱に取付固定する作業が非常に煩雑であった。
【０００４】
そこで、一本のビスのみで配線ボックスの回動を規制し、さらに柱に取付固定可能とする配線ボックスが提案されている（例えば、特許文献１参照。）。特許文献１に記載の配線ボックスの一側壁には、ビスを挿通可能とする取付け孔が穿設され、該取付け孔の両側の任意の位置には弾性舌片が形成されている。さらに、前記弾性舌片には側壁から離れる方向へ突出し、かつ先端を尖らせた突起が形成されている。
【０００５】
そして、この配線ボックスを柱に取付固定するときには、前記取付け孔からビスを柱に螺入していくと前記弾性舌片の突起も柱に食い込んでいく。すると、配線ボックスの柱への取付固定後は突起の食い込みによって配線ボックスの回動が規制される。すなわち、特許文献１に記載の配線ボックスは、一本のビスのみで柱に回動規制した状態で取付固定することが可能とされている。
【特許文献１】実公昭５７−３５８６２号公報（第１〜第２頁、第１図）
【発明の開示】
【発明が解決しようとする課題】
【０００６】
ところで、特許文献１に記載の配線ボックスは、突起を柱に食い込ませることによって柱への回動を規制している。しかし、配線ボックスを、例えば金属柱といった突起を食い込ませることが不可能な構築物に取付固定する場合は、前記突起の金属柱への食い込みによって回動を規制することが不可能となる。このため、配線ボックスをその回動を規制して金属柱等に固定するためには、二本以上のビスを金属柱に螺入しなければならず、ビスの螺入作業、ひいては配線ボックスを構築物に取付固定する作業が非常に煩雑となってしまった。
【０００７】
本発明は、一本のビスで構築物に固定してもビスを回動中心とした回動を規制することができる配線器具取付具を提供することにある。
【課題を解決するための手段】
【０００８】
上記問題点を解決するために、請求項１に記載の発明は、配線器具を取り付けるために建物の構築物にビスで取付固定される配線器具取付具であって、箱状又は枠状をなす取付具本体を有し、該取付具本体は複数の側壁のうちの少なくとも一側壁に前記構築物への取付面を備え、該取付面を備える側壁には前記ビスが貫通可能な貫通孔が形成されているとともに取付具本体を構築物に貼着するための貼着テープが設けられていることを要旨とする。
【０００９】
請求項２に記載の発明は、請求項１に記載の配線器具取付具において、前記貼着テープは前記貫通孔を閉鎖して設けられ、貫通孔を貫通したビスの周囲に粘着テープが位置することを要旨とする。
【００１０】
請求項３に記載の発明は、請求項１又は請求項２に記載の配線器具取付具において、前記貫通孔は、前記取付具本体の深さ方向に沿って延びる長孔状に形成され、該貫通孔はその始端が取付具本体の開口側に位置し終端が前記深さ方向における中央位置に位置していることを要旨とする。
【００１１】
請求項４に記載の発明は、請求項１〜請求項３のうちいずれか一項に記載の配線器具取付具において、前記構築物は、金属製の柱であることを要旨とする。
【発明の効果】
【００１２】
本発明によれば、一本のビスで構築物に固定してもビスを回動中心とした回動を規制することができる。
【発明を実施するための最良の形態】
【００１３】
以下、本発明の配線器具取付具を配線ボックスに具体化した一実施形態を図１〜図４にしたがって説明する。なお、以下の説明において配線ボックス１１の「左」「右」「上」「下」「前」「後」は、図１に示す矢印Ｙ１の方向を左右方向とし、矢印Ｙ２の方向を上下方向とし、矢印Ｙ３の方向を前後方向とする。
【００１４】
図１に示すように、配線器具取付具としての配線ボックス１１は、一面（前面）に開口を有する有底四角箱状をなす取付具本体としてのボックス本体１０を有している。そして、配線ボックス１１は前記ボックス本体１０に貼着テープ３０を設けて形成されている。この配線ボックス１１は、スイッチ等の配線器具を建物の壁等に取り付けるために、建物内の構築物としての金属製の柱Ｈ（図３参照）に取付固定されるものである。また、矢印Ｙ３に示す前後方向をボックス本体１０の深さ方向とする。
【００１５】
まず、前記ボックス本体１０について説明する。ボックス本体１０は、長方形状をなす底壁１２の周縁に四つの側壁１３ａ〜１３ｄが立設されて形成されている。前記四つの側壁１３ａ〜１３ｄは、底壁１２の上下に相対向する短辺の側縁に立設された上側壁１３ａ及び下側壁１３ｂと、底壁１２の左右に相対向する長辺の側縁に立設された左側壁１３ｃ及び右側壁１３ｄである。
【００１６】
前記上側壁１３ａ及び下側壁１３ｂにおけるボックス本体１０の開口側内面であって、上側壁１３ａ及び下側壁１３ｂの左右方向中央にはボス部１８がボックス本体１０内中央に向かって突設されている。このボス部１８は、配線ボックス１１に配線器具（図示せず）を取り付けるために設けられている。各ボス部１８は筒状に形成され、その内部にはナット（図示せず）が埋設されている。さらに、各ボス部１８には前記ナットに取付ビス（図示せず）を螺合可能とするボス孔１８ａが設けられている。
【００１７】
さらに、上側壁１３ａ及び下側壁１３ｂの左右両側には、ケーブル（図示せず）をボックス本体１０内に引き込むための引込孔１６が穿設されている。なお、各引込孔１６はノックアウト部（図示せず）によって閉塞されていてもよく、引込孔１６が前記ノックアウト部によって閉塞されている場合は、該ノックアウト部は引込孔１６の使用時に除去される。
【００１８】
前記左側壁１３ｃには一定の厚みを有する長方形状に形成された取付部１４が一体形成されている。この取付部１４は、配線ボックス１１を柱Ｈに取付固定するときに、ボックス本体１０を柱Ｈの側面から一定距離だけ離れた位置に配置するために設けられている。なお、取付部１４において、該取付部１４の長辺方向に沿った方向、すなわち前記矢印Ｙ２の方向を取付部１４の長さ方向とし、取付部１４の短辺方向に沿った方向、すなわち矢印Ｙ３の方向を取付部１４の幅方向とする。
【００１９】
図２に示すように、取付部１４において、前記左側壁１３ｃと対向する面となる取付部１４の外面（左面）には取付面１４ａが形成されている。この取付面１４ａは、配線ボックス１１を柱Ｈに取付固定する際に、該柱Ｈの側面に対向することとなる面である。そして、取付面１４ａは、ボックス本体１０の四側壁１３ａ〜１３ｄのうちの一側壁である左側壁１３ｃに形成され、該左側壁１３ｃは取付面１４ａを備えている。また、ボックス本体１０の左側には、取付部１４（取付面１４ａ）及び左側壁１３ｃを貫通する第１〜第５貫通孔２１〜２５が形成されている。第１〜第５貫通孔２１〜２５はそれぞれ長孔状をなし、ビスＢを挿通可能となっている。
【００２０】
第１〜第３貫通孔２１〜２３は、取付部１４にてボックス本体１０の底壁１２側（後端側）から開口側まで前記幅方向（ボックス本体１０の深さ方向）に沿って延びる直線状に形成されている。ここで、第１〜第３貫通孔２１〜２３は、取付部１４における底壁１２側が切り欠かれているため、該底壁１２側を第１〜第３貫通孔２１〜２３の始端とすると、第１〜第３貫通孔２１〜２３の終端は、取付部１４におけるボックス本体１０の開口側に位置している。すなわち、第１〜第３貫通孔２１〜２３は、取付部１４の幅方向（ボックス本体１０の深さ方向）のほぼ全体に亘って形成されている。そして、第１貫通孔２１は取付部１４の長さ方向最上部に、第２貫通孔２２は取付部１４の長さ方向中央部に、第３貫通孔２３は取付部１４の長さ方向最下部に形成されている。
【００２１】
また、第４貫通孔２４及び第５貫通孔２５は、ボックス本体１０の開口側から取付面１４ａの幅方向（ボックス本体１０の深さ方向）中央部となる位置まで前記幅方向に沿って延びる直線状に形成されている。ここで、第４及び第５貫通孔２４，２５は、取付部１４におけるボックス本体１０開口側が切り欠かれているため、該開口側を第４及び第５貫通孔２４，２５の始端とする。すると、第４及び第５貫通孔２４，２５の終端は取付部１４の幅方向（ボックス本体１０の深さ方向）中央に位置している。そして、第４及び第５貫通孔２４，２５は、前記第１〜第３貫通孔２１〜２３の長さより短くなっている。また、第４貫通孔２４は、取付部１４の長さ方向において前記第１貫通孔２１と第２貫通孔２２の間に配置され、第５貫通孔２５は、取付部１４の長さ方向において第２貫通孔２２と第３貫通孔２３の間に配置されている。
【００２２】
取付部１４において、前記第１〜第５貫通孔２１〜２５を除いた面全てに取付面１４ａが形成されている。そして、取付部１４の取付面１４ａには、貼着テープ３０が貼着されている。この貼着テープ３０は両面貼着可能な粘着テープであり、一面が取付面１４ａに貼着されている。また、貼着テープ３０の他面には剥離紙が貼着されており、配線ボックス１１を柱Ｈに固定する際に剥離紙が除去されて柱Ｈの側面に貼着されるようになっている。さらに、貼着テープ３０は、前記第２貫通孔２２を中心として前記長さ方向（上下方向）両側に均等長さずつ存在するように取付面１４ａに貼着されている。
【００２３】
貼着テープ３０は、取付面１４ａにて前記第２貫通孔２２、第４貫通孔２４及び第５貫通孔２５のほぼ全体（第２貫通孔２２、第４貫通孔２４及び第５貫通孔２５の始端を除く部位）を閉鎖するように取付面１４ａに貼着され、貼着テープ３０のほぼ中央部となる位置には前記第２貫通孔２２が対応している。取付面１４ａにて第２貫通孔２２、第４貫通孔２４及び第５貫通孔２５の周囲となる位置には貼着テープ３０が貼着されている。
【００２４】
そして、貼着テープ３０は、取付面１４ａにて前記第１貫通孔２１及び第３貫通孔２３を閉鎖することなく取付面１４ａに貼着されている。貼着テープ３０は、第２貫通孔２２、第４貫通孔２４及び第５貫通孔２５のいずれか一つを用いて配線ボックス１１を柱Ｈに固定するときに、ビスＢによって突き破られるようになっている。一方、貼着テープ３０は、第１貫通孔２１又は第３貫通孔２３を用いて配線ボックス１１を柱Ｈに固定するときはビスＢによって突き破られることはない。
【００２５】
取付部１４において、ボックス本体１０の開口側たる前端部であって、取付部１４の長さ方向両側には、それぞれ突起１４ｂが突設されている。突起１４ｂは、取付面１４ａに直交し、かつ取付面１４ａから離れる方向へ突出するように設けられている。また、突起１４ｂは、取付面１４ａから離れる方向へ延びるに従い徐々に尖るように形成されている。そして、本実施形態の配線ボックス１１は、取付面１４ａ及び第１〜第５貫通孔２１〜２５を備えるボックス本体１０に貼着テープ３０を設けたことにより形成されている。
【００２６】
さて、上記構成の配線ボックス１１を柱Ｈに取付固定するには、まず、貼着テープ３０の剥離紙を除去する。次に、取付面１４ａが柱Ｈの側面に相対向して面するようにし、貼着テープ３０の他面たる貼着面を柱Ｈの側面に貼着する。すると、図３及び図４に示すように、柱Ｈの側面に配線ボックス１１が取り付けられ、貼着テープ３０の貼着力によって配線ボックス１１は柱Ｈに仮固定される。次に、ビスＢを配線ボックス１１の内側から第２貫通孔２２に挿通し、さらに、ビスＢを柱Ｈに向かって螺入する。このとき、ビスＢは、取付面１４ａの中央部、すなわち貼着テープ３０の中央部を貫通するように第２貫通孔２２に挿通される。このため、第２貫通孔２２を貫通したビスＢの周囲には貼着テープ３０が位置している。
【００２７】
なお、配線ボックス１１は、貼着テープ３０によって柱Ｈに仮固定されているため、作業者は両方の手でビスＢの螺入作業を行うことができる。そして、一方の手で配線ボックス１１を柱Ｈに押さえ付けたとき、配線ボックス１１が柱Ｈの側面に沿って滑ることがないため、配線ボックス１１を柱Ｈに強固に押さえ付けることが可能となる。また、柱Ｈは金属製であるためビスＢが滑り、ビスＢを柱Ｈに螺入しにくい状態となっている。しかし、配線ボックス１１は貼着テープ３０により柱Ｈに仮固定されているため、螺入作業の際に滑ったビスＢが配線ボックス１１をそのビスＢが滑った方向へ押圧しても配線ボックス１１が移動することが防止される。
【００２８】
そして、ビスＢが第２貫通孔２２を貫通し、貼着テープ３０の中央部を突き破って柱Ｈに螺入されると、取付面１４ａが柱Ｈの側面に面する状態で配線ボックス１１が柱Ｈに取付固定される。すなわち、配線ボックス１１は、貼着テープ３０の貼着力とビスＢの締付力によって柱Ｈに強固に取付固定される。この配線ボックス１１の取付固定状態において、配線ボックス１１にその前面側（開口側）から後面側（底壁１２側）へ押圧する力が作用しても、貼着テープ３０による貼着によって配線ボックス１１が移動することが防止される。すなわち、ビスＢの周囲たる取付面１４ａは、貼着テープ３０によって柱Ｈの側面に貼着されているため、前記力によって配線ボックス１１がビスＢを回動中心として回動することが規制される。したがって、一本のビスＢを用いて配線ボックス１１を柱Ｈに取付固定しても、貼着テープ３０の貼着力により配線ボックス１１の回動を規制することができる。
【００２９】
上記実施形態によれば、以下のような効果を得ることができる。
（１）ボックス本体１０に貼着テープ３０を設けて配線ボックス１１を形成した。そして、一本のビスＢを用いて配線ボックス１１を金属製の柱Ｈに取付固定した状態では、貼着テープ３０の貼着力によってビスＢを回動中心とした配線ボックス１１の回動を規制することができる。したがって、突起１４ｂが食い込まない金属製の柱Ｈに対し、二本のビスＢを用いなくても配線ボックス１１を回動規制した状態で取付固定することができる。その結果として、ビスＢを柱Ｈに螺入する作業は一回のみでよく配線ボックス１１を柱Ｈに取付固定する作業を容易とすることができる。
【００３０】
（２）取付部１４の左面にて第１〜第５貫通孔２１〜２５以外の部位全てを取付面１４ａとしたため、取付部１４にて貼着テープ３０を貼着可能とする面積を十分に確保して貼着テープ３０を取付面１４ａから剥がれにくくすることができる。
【００３１】
（３）ボックス本体１０の左側には五つの貫通孔２１〜２５が形成されている。したがって、配線ボックス１１を柱Ｈに取付固定する作業者は使用する貫通孔２１〜２５を任意に選択することができる。
【００３２】
（４）貼着テープ３０により、配線ボックス１１を柱Ｈに仮固定してビスＢの螺入作業を行うことができ、作業者は両方の手で配線ボックス１１の取付固定を行うことができる。したがって、貼着テープ３０が存在せず、配線ボックス１１を一方の手で柱Ｈに押さえ付けながら、他方の手でビスＢの螺入作業を行う場合と比較してその作業性を向上させることができる。
【００３３】
（５）貼着テープ３０は第２貫通孔２２、第４貫通孔２４、及び第５貫通孔２５を閉鎖して取付面１４ａに貼着されている。このため、第２貫通孔２２を用いて配線ボックス１１を柱Ｈに取付固定した場合は、ビスＢは貼着テープ３０を貫通し、該貼着テープ３０の近傍を通過して柱Ｈに螺入されることとなる。したがって、ビスＢによって該ビスＢ近傍の貼着テープ３０を柱Ｈの側面に強固に押し付けることとなるため、貼着テープ３０を柱Ｈの側面に強固に貼着させることができ配線ボックス１１の回動規制に寄与することができる。
【００３４】
（６）貼着テープ３０は、第２貫通孔２２を閉鎖し、さらに第２貫通孔２２の周囲となる取付面１４ａにも貼着されている。このため、第２貫通孔２２を用いて配線ボックス１１を柱Ｈに取付固定した場合、ビスＢの周り全周囲となる取付面１４ａが貼着テープ３０により柱Ｈに貼着されることとなり、ビスＢを回動中心とした配線ボックス１１の回動を確実に規制することができる。
【００３５】
（７）また、貼着テープ３０は取付面１４ａのほぼ全体を覆うように貼着されている。そして、第２貫通孔２２から柱ＨにビスＢを螺入するとき、ビスＢを貼着テープ３０の中央部を突き破るようにすると、ビスＢは貼着テープ３０の中央部を柱Ｈに押さえ付けることとなる。このようにすると、貼着テープ３０はビスＢにより押さえ付けられた中央部以外、すなわち周縁部は押さえ付けられず一定の厚みとなっている。したがって、貼着テープ３０の周縁部により柱Ｈの側面と取付面１４ａの間を一定の間隔とすることができる。したがって、例えば、貼着テープ３０が取付面１４ａの上側一部のみに貼着されている場合のように、貼着テープ３０の厚みによって配線ボックス１１が傾いて柱Ｈに取付固定されることを無くすことができる。
【００３６】
なお、上記実施形態は以下のように変更してもよい。
・  実施形態において、図５に示すように、ビスＢを第４貫通孔２４又は第５貫通孔２５（図５では第４貫通孔２４）から柱Ｈに螺入して配線ボックス１１を柱Ｈに取付固定してもよい。第４及び第５貫通孔２４，２５は、その始端が取付部１４におけるボックス本体１０の開口側に位置し終端が取付部１４におけるボックス本体１０の深さ方向中央位置に位置している。このため、ビスＢを第４又は第５貫通孔２４，２５から柱Ｈに螺入する際、ビスＢは取付部１４の中央位置の終端に当接する。その結果として、ビスＢが柱Ｈの側面を滑りやすくてもビスＢがボックス本体１０の奥側（底壁１２側）まで移動することを防止することができる。したがって、ビスＢを柱Ｈへ螺入する作業をボックス本体１０の開口側で行うことができ、該螺入作業をボックス本体１０の奥側で行う場合と比較してその作業を容易とすることができる。なお、第４貫通孔２４及び第５貫通孔２５にビスＢを螺入して配線ボックス１１を柱Ｈに取付固定してもよい。
【００３７】
・  実施形態において、配線ボックス１１を構築物として木製の柱、コンクリート製の柱、鉄骨等に取付固定してもよい。なお、配線ボックス１１を木製の柱に取付固定した場合は、貼着テープ３０の貼着力に加え、突起１４ｂが柱に食い込むことによってビスＢを回動中心とした配線ボックス１１の回動を規制することができる。
【００３８】
・  実施形態において、第２貫通孔２２を用いて配線ボックス１１を柱Ｈに取付固定する場合は、貼着テープ３０を第２貫通孔２２のみを覆うように取付面１４ａに貼着してもよい。また、第４又は第５貫通孔２４，２５を用いて配線ボックス１１を柱Ｈに取付固定する場合は、貼着テープ３０を第４又は第５貫通孔２４，２５のみを覆うように取付面１４ａに貼着してもよい。すなわち、配線ボックス１１を柱Ｈに固定する際に用いる貫通孔のみを貼着テープ３０で覆うようにして貼着テープ３０を取付面１４ａに貼着してもよい。さらには、貼着テープ３０を全ての貫通孔２１〜２５を覆うように取付面１４ａに貼着してもよい。
【００３９】
・  実施形態において、第１〜第５貫通孔２１〜２５の全てを取付部１４の幅方向のほぼ全体に延びるように形成してもよい。
・  実施形態において、第１〜第５貫通孔２１〜２５の全ての始端をボックス本体１０の開口側とし、取付部１４の幅方向（ボックス本体１０の深さ方向）中央を終端としてもよい。また、第２貫通孔２２のみを、その始端をボックス本体１０の開口側とし終端を取付部１４の幅方向（ボックス本体１０の深さ方向）中央位置としてもよい。
【００４０】
・  実施形態において、第１〜第５貫通孔２１〜２５を円孔状に形成してもよく、この場合は、第１〜第５貫通孔２１〜２５を取付面１４ａの幅方向中央部（ボックス本体１０の深さ方向中央位置）となる位置に形成するのが好ましい。
【００４１】
・  実施形態において、第１〜第５貫通孔２１〜２５の長さを任意に変更してもよい。
・  実施形態において、第２貫通孔２２に加え、その他の貫通孔からビスＢを柱Ｈに螺入して配線ボックス１１を柱Ｈに取付固定してもよい。
【００４２】
・  実施形態において、取付部１４に第２貫通孔２２のみを形成してもよい。又は、取付部１４に第２貫通孔２２以外の貫通孔２１，２３，２４，２５のいずれか一つのみを形成してもよい。取付部１４に形成される貫通孔の数を任意に変更してもよい。
【００４３】
・  実施形態において、全ての貫通孔２１〜２５を閉鎖することなく取付面１４ａのみに貼着テープ３０を貼着してもよい。
・  実施形態において、左側壁１３ｃではなく上側壁１３ａ、下側壁１３ｂ及び右側壁１３ｄのうちの少なくともいずれか一側壁に貫通孔を形成し、貫通孔が形成された側壁１３ａ，１３ｂ，１３ｄの外面に貼着テープ３０を貼着してそれら側壁１３ａ，１３ｂ，１３ｄの外面を取付面としてもよい。なお、取付部１４を削除して各側壁１３ａ〜１３ｄの外面を当接面としてもよい。
【００４４】
・  図６に示すように、配線器具取付具を、両面（前後両面）に開口を有する四角枠状の取付具本体たる枠本体５１に貼着テープ３０を設けた配線器具取付枠５０に具体化してもよい。枠本体５１は四つの側壁５２ａ〜５２ｄのうちの左側の側壁５２ｃに取付部５３を備え、該取付部５３の外面には取付面５３ａが形成されている。さらに、取付部５３には貫通孔５４〜５８が形成されている。
【００４５】
次に、上記実施形態及び別例から把握できる技術的思想について以下に追記する。
（１）配線器具を取り付けるために建物の構築物にビスで取付固定される配線器具取付具であって、箱状又は枠状をなす取付具本体を有し、該取付具本体は複数の側壁のうちの少なくとも一側壁に前記ビスが貫通可能な貫通孔が形成され、該貫通孔は、前記取付具本体の深さ方向に沿って延びる長孔状に形成されているとともに、その始端が取付具本体の開口側に位置し終端が前記深さ方向における中央位置に位置していることを特徴とする配線器具取付具。
【図面の簡単な説明】
【００４６】
【図１】実施形態の配線ボックスを示す斜視図。
【図２】実施形態の配線ボックスを示す側面図。
【図３】実施形態の配線ボックスを柱に仮固定した状態を示す斜視図。
【図４】第２貫通孔を用いて配線ボックスを柱に固定した状態を示す正面図。
【図５】第４貫通孔を用いて配線ボックスを柱に固定した状態を示す斜視図。
【図６】別例の配線器具取付枠を示す斜視図。
【符号の説明】
【００４７】
Ｂ…ビス、Ｈ…構築物としての柱、１１…配線器具取付具としての配線ボックス、１０…取付具本体としてのボックス本体、１３ａ…側壁としての上側壁、１３ｂ…側壁としての下側壁、１３ｃ…側壁としての左側壁、１３ｄ…側壁としての右側壁、１４ａ…取付面、２１…貫通孔としての第１貫通孔、２２…貫通孔としての第２貫通孔、２３…貫通孔としての第３貫通孔、２４…貫通孔としての第４貫通孔、２５…貫通孔としての第５貫通孔、３０…貼着テープ、５０…配線器具取付具としての配線器具取付枠、５１…取付具本体としての枠本体、５２ａ〜５２ｄ…側壁、５３ａ…取付面、５４〜５８…貫通孔。
【図１】
2006211849.tif 000003
【図２】
2006211849.tif 000004
【図３】
2006211849.tif 000005
【図４】
2006211849.tif 000006
【図５】
2006211849.tif 000007
【図６】
2006211849.tif 000008